(57)【特許請求の範囲】
【請求項１】
作物を収納する平面４角立方形の可撓性の収納袋（３３）を設け、該収納袋（３３）は、上部の蓋部（３３ａ）と、下部の本体部（３３ｂ）との境界位置を投入口（５７）とし、該投入口（５７）の内面側で、該蓋部（３３ａ）と収納本体部（３３ｂ）との境界位置の４角に、輪状の係止部材（５８）を４点に設け、袋受台（３４）上において、中間にバネ（５２）を介設するワイヤ（５３）で、前記係止部材（５８）を吊上げる状態で、該収納袋（３３）を弾性を有する状態で４点支持し開口保持することを特徴とする作物用収納袋。
【発明の詳細な説明】
【０００１】
【発明の属する技術分野】
本発明は、例えばニンジンなどの野菜を収穫する根菜収穫機にあって、該収穫機に保持する収納袋に収穫されたニンジンなど野菜を所定量となるまで収納するようにした作物用収納袋である。
【０００２】
【発明が解決しようとする課題】
従来、布袋など可撓性に形成される収納袋にあって、収納袋を保持する係止部材は、該袋の上部投入口近傍の袋外側面に設けられていて、作物の満杯時には外側に折曲げられた蓋部を、内側に折り返して投入口を塞いで袋の密封を行っている。
【０００３】
しかし乍ら、このように係止部材を袋外側に設けた場合、投入口形成における蓋部の外側折曲げ時に係止部材が邪魔となって、投入口の充分な確保が困難となるばかりでなく、作物収納時蓋部が内側に折り込まれ、蓋をしようとした場合には作物内に埋め込まれた状態となってその取出しも容易でなく投入口の密封作業を困難なものとさせていた。
また、満杯収納袋を収穫機に装備するクレーンなどによって、吊下げ地上などに積降ろしする場合に、係止部材の引掛り事故を発生させるなどして、その取扱い作業において慎重さが要求されるものであった。
【０００４】
【課題を解決するための手段】
本発明は、作物を収納する平面４角立方形の可撓性の収納袋（３３）を設け、該収納袋（３３）は、上部の蓋部（３３ａ）と、下部の本体部（３３ｂ）との境界位置を投入口（５７）とし、該投入口（５７）の内面側で、該蓋部（３３ａ）と収納本体部（３３ｂ）との境界位置の４角に、輪状の係止部材（５８）を４点に設け、袋受台（３４）上において、中間にバネ（５２）を介設するワイヤ（５３）で、前記係止部材（５８）を吊上げる状態で、該収納袋（３３）を弾性を有する状態で４点支持し開口保持するものである。
即ち、作物を収納する収納袋の投入口の内面側で蓋部と本体部の境界位置に、該袋を開口保持する複数の係止部材を設けて、収納袋の蓋部を充分に外側に折曲げて確実に蓋部を開放位置に保持して投入口を最大に大きく形成して、蓋部を巻き込むことのない作物の良好な収納を助長させ、また開口時の蓋部の折曲りと袋本体部との二重壁構造によって弛みのない高剛性の口縁部の形成を可能とさせると共に、蓋部を閉封しての収納袋の積降ろしや運搬作業においては、係止部材を袋内に納めて障害とさせることなどない良好な取扱い作業を可能とさせるものである。
【０００５】
【発明の実施の形態】
以下、本発明の実施例を図面に基づいて詳述する。
図１は収納袋の斜視説明図、図２は人参を収穫する根菜収穫機の側面図、図３は同平面図、図４は同側面図であり、走行クローラ（１）を有する機台（２）の右前上に運転操作部（３）を配設すると共に、この後方に運転機（４）を配設し、運転席（４）下部後方のエンジンカバー（５）内にエンジン（６）を配設し、エンジンカバー（５）の上部にコンテナ台（７）を載置させている。
【０００６】
前記運転操作部（３）は前部にフロントコラム（８）を立設し、側部にアクセルレバー（９）を配設し、このフロントコラム（８）側方のサイドコラム（１０）上に作業レバー（１１）や副変速レバー（１２）など各種操作レバーを配設している。
【０００７】
そして、走行機体の左側に根菜を堀取り、後方へ搬送し、葉部分を切除する機構と、その後部に根部をコンテナに収容する機構を配設させるもので、機台（１）左側前部より、引起し装置（１４）、引抜きコンベア（１５）の高さを設定するゲージ輪（１６）、根菜の葉部分を引上げる引上げ装置（１７）、その下方に土中の根菜を堀り上げるための掘起し装置（１３）、引起し装置（１４）の後部より、掘り上げた根菜の葉部の両側を挾持搬送する引抜きコンベア（１５）、引抜きコンベア（１５）の後方にカッター（１８）、その下方に下部コンベア（１９）と横送りローラー（２０）、その側方にコンテナとなる収納袋へ搬送する選別コンベア（２１）を配置させている。
【０００８】
前記堀起し装置（１３）は、偏心カムなどによってサブソイラ（２２）を振動駆動するように設けて、根菜の下方より土中を振動して、根菜を浮上がらせ、引抜きを容易とさせるように設けている。
【０００９】
前記引抜きコンベア（１５）は、左右搬送フレーム（１５ａ）（１５ｂ）を前後方向に左右平行で、前低後高に傾斜して配置し、この搬送フレーム（１５ａ）（１５ｂ）の前後両端にプーリ（２３）を、その中途部にガイドプーリ（２４）をそれぞれ配設し、これらプーリ（２３）（２４）に搬送ベルト（２５）を巻回し、引抜きコンベア（１５）の中途部から後部の下面には、左右一対の搬送ベルトを巻回した補助搬送コンベア（２６）を設けて、葉部の根菜側を保持している。また、引抜きコンベア（１５）前端上部にスターホイル（２７）を配設して、根菜の葉部を掻き込んでいる。
【００１０】
そして、前記引抜きコンベア（１５）、補助搬送コンベア（２６）の後部には葉部排出コンベア（２８）を前後方向水平に後方へ延設させている。前記補助搬送コンベア（２６）の途中部には、前後方向に水平な水平コンベア（２９）を後方に延出させていて、該水平コンベア（２９）の下方には根菜を案内するガイド（３０）を配設し、該ガイド（３０）と水平コンベア（２９）の間に、カッター（１８）を配置している。補助搬送コンベア（２６）により搬送された根菜の葉部は、前記水平コンベア（２９）に引継がれ、根菜の根部上端が位置決めされながら後方へ搬送され、葉部が所定の位置でカッター（１８）によって切断され、根部はその下方に配設された下部コンベア（１９）上に落され、葉部は前記葉部排出コンベア（２８）に搬送されて後方から圃場面に落下するように設けている。
【００１１】
そして、下部コンベア（１９）は幅広のベルトコンベアからなり、補助搬送コンベア（２６）の後部下方から後方に水平方向に配置して、この下部コンベア（１９）の中途部上に斜め方向に横送りローラー（２０）を配設させている。横送りローラー（２０）の回転と下部コンベア（１９）の搬送駆動によって、根菜が側部の選別コンベア（２１）上に落下するように設けている。
【００１２】
前記選別コンベア（２１）は本機後部で左右方向に配置されて幅広のローラーコンベアよりなり、側方へ送りながら根菜に付着した土を落すもので、前記横送りローラー（２０）によって搬送方向を横方向に向きを変えられた根菜を、下部コンベア（１９）後方の受渡し板（２１ａ）に沿って下方の選別コンベア（２１）の始端部に落下させ、選別コンベア（２１）の送り終端より根菜収納部（３１）に送り込むように設けている。
【００１３】
前記根菜収納部（３１）は、選別コンベア（２１）より選別された根菜を受継ぎ前方へ搬送する搬送コンベア（３２）と、該搬送コンベア（３２）によって搬送される根菜を収納する収納袋（３３）と、該収納袋（３３）の載置部としての袋受台（３４）と、収納袋（３３）を吊上げるクレーン（３５）とにより構成している。前記搬送コンベア（３２）は、選別コンベア（２１）の右端部より、エンジンカバー（５）の側方まで延出する幅広のベルトコンベアであり、前記搬送コンベア（３２）の後端部に後駆動ローラー（３６）を横設し、搬送コンベア（３２）の前部に前部ローラー（３７）を横設し、該後駆動ローラー（３６）と前部ローラー（３７）との間に搬送ベルト（３８）を巻回し、該搬送ベルト（３８）の外周面上には一定間隔毎に板状の突起である搬送板（３８ａ）を突出させている。また、前記搬送コンベア（３２）の左右両端部には、ガイドフレーム（３９）を固設して、根菜の左右への落下を防ぐと共に、該ガイドフレーム（３９）の前部下方には取付フック（４０）を下方に突出させ、該取付フック（４０）に収納袋（３３）の後端上部を係止するように設けている。
【００１４】
また、前記袋受台（３４）の前部にクレーン台（４１）を固設して、該クレーン台（４１）の上面にクレーン（３５）を立設させるもので、前記クレーン（３５）は、円柱状の支持柱（４２）をクレーン台（４１）に立設し、該支持柱（４２）の上部にクレーンベース（４３）を水平方向に回動自在に配置している。該クレーンベース（４３）に支軸（４４）を介し上下方向に回動自在にクレーンアーム（４５）を枢支している。また、前記支持柱（４２）の下部にはクレーンベース（４３）と一体的に回動する筒体（４６）を嵌合しており、該筒台（４６）の端部に伸縮シリンダ（４７）の下端を枢支し、該伸縮シリンダ（４７）の伸縮ロッド（４７ａ）の先端部をクレーンアーム（４５）の下面途中部に枢支しており、伸縮シリンダ（４７）の駆動でもって、クレーンアーム（４５）を上下方向に回動するように設けている。また、前記クレーンアーム（４５）の上面基部側には、内部に回転ドラムを枢支するウインチ（４８）を固設し、該ウインチ（４８）にはワイヤー（４９）の一端を巻回し、該ワイヤ（４９）の途中部をクレーン（３５）上部のローラに支持し、ワイヤ（４９）の他端にフック（５０）を固設している。
【００１５】
そして前記袋受台（３４）上に立設する袋保持支柱（５１）或いはクレーン（３５）のワイヤ（４９）先端に固設したフック（５０）に収納袋（３３）の前部２箇所を、また搬送コンベア（３２）の下方の取付フック（４０）に収納袋（３３）の後部２箇所を、中間にバネ（５２）を介設するワイヤ（５３）でそれぞれ保持させて、布材等で構成する可撓性の収納袋（３３）を弾性を有する状態で４点支持するように設けている。
【００１６】
そして機台（２）の支持ステー（５４）と、前記ガイドフレーム（３９）の固定ステー（５５）間に介設する昇降シリンダ（５６）によって、該収納袋に根菜を入れ始める際には、搬送コンベア（３２）を下げ位置（水平搬送状態）に配置し、収納袋（３３）の後部を折畳み、投入口（５７）を袋受台（３４）の直上方に開口するようにして、根菜の落下する距離を短く保ち、根菜の充填量が増えるに従って前記昇降シリンダ（５６）を伸長させて、搬送コンベア（３２）を前高後低に斜め搬送状態にし、根菜の落下距離を短く保って根菜に傷等の発生することを防ぎ、図４の二点鎖線に示す如くに、収納袋（３３）の後部の折畳みを伸ばして、収納袋（３３）の高さを選別コンベア（２１）の搬送面より上方位置まで伸ばすに従い、収納袋（３３）の収納可能高さを高めて収納量を増大させるように設けている。また、前記収納袋（３３）が根菜で満杯になるときクレーンアーム（４５）で吊上げて、右外方に回動して、根菜を収穫し終えた既堀取側の圃場に運搬するように設けている。
【００１７】
而して図１、図５、図６に示す如く、前記収納袋（３３）は、投入口（５７）の内面側で蓋部（３３ａ）と収納本体部（３３ｂ）との境界位置に輪状の係止部材（５８）を複数（実施例の場合４つ）設けると共に、袋（３３）の外面に運搬用の帯部材（５９）を設けるもので、前記帯部材（５９）は平面４角立方形の袋（３３）の対向側面と底面に、エンドレス状の中間部を略平行に固着させ、対向蓋部（３３ａ）から突出させる半円状両端を第１係止部（５９ａ）に、また側面と底面のコーナ部に輪状の第２係止部（５９ｂ）に形成して、通常は前記搬送コンベア（３２）の取付フック（４０）と籾受台（３４）上の支柱（５１）とに、前記バネ（５２）を有するワイヤ（５２）によって係止部材（５８）を吊上げる状態に袋（３３）を開口保持して、収穫されるニンジン（Ａ）の収納を行うように設けている。
【００１８】
一方、袋（３３）内に作物であるニンジン（Ａ）が満杯となるとき、前記第１係止部（５９ａ）にクレーン（３５）のフック（５０）を係合させて、袋（３３）を吊上げ、投入口（５７）を蓋部（３３ａ）で閉じ或いは開口状態のまま圃場まで運搬し、袋（３３）内のニンジン（Ａ）の取出し時にあっては前記第２係止部（５９ｂ）にクレーン（３５）のフック（５０）を係合させて、その吊上げ時に袋（３３）を上下に反転させることによって、短時間での容易な取出しを可能にできるものである。
【００１９】
またこの場合、帯部材（５９）と袋（３３）の対向側面と底面の固着によって袋（３３）の強度向上を図り、投入口（５７）開口時の蓋部（３３ａ）と第１係止部（５９ａ）の折返しなどによる二重壁構造によって袋口縁部の剛性向上を図り、さらに係止部材（５８）と袋（３３）と帯部材（５９）の三者の縫合糸（６０）などによる一体固着でもって、係止部材（５８）と袋（３３）との連結強度向上を図るものである。なお、前記係止部材（５８）にクレーン（３５）のフック（５０）を直接的に係合させて吊上げても良い。
【００２０】
図７のものは、収納袋（３３）の一部を開口して、補強用の目抜き金具（６１）を取付け、該目抜き金具（６１）より袋（３３）内面側に帯部材（５９）の一部を突出させて輪状係止部（５９ｃ）を形成して、前述係止部材（５８）に換わるフック（５０）やワイヤ（５２）などの係止部材（５８）とするように設けたものである。
【００２１】
図８のものは、さらに前記係止部（５９ｃ）に前述の係止部材（５８）を取付けて、係止部材（５８）の取付けの自在性とフック（５０）との係合連結時の容易化を図るように設けたものである。
【００２２】
【発明の効果】
以上実施例から明らかなように本発明は、作物を収納する平面４角立方形の可撓性の収納袋（３３）を設け、該収納袋（３３）は、上部の蓋部（３３ａ）と、下部の本体部（３３ｂ）との境界位置を投入口（５７）とし、該投入口（５７）の内面側で、該蓋部（３３ａ）と収納本体部（３３ｂ）との境界位置の４角に、輪状の係止部材（５８）を４点に設け、袋受台（３４）上において、中間にバネ（５２）を介設するワイヤ（５３）で、前記係止部材（５８）を吊上げる状態で、該収納袋（３３）を弾性を有する状態で４点支持し開口保持するのであるから、収納袋（３３）の蓋部（３３ａ）を充分に外側に折曲げて確実に蓋部（３３ａ）を開放位置に保持して投入口（５７）を最大に大きく形成でき、蓋部（３３ａ）を巻き込むことのない作物の良好な収納を助長させることができ、また開口時の蓋部（３３ａ）の折曲りと袋本体部（３３ｂ）との二重壁構造によって弛みのない高剛性の口縁部の確保を可能とさせることができると共に、蓋部（３３ａ）を閉封しての収納袋（３３）の積降ろしや運搬作業においては、係止部材（５８）を袋（３３）内に納めて障害をさせることなどない良好な取扱い作業を可能とさせることができるなどの顕著な効果を奏するものである。
【図面の簡単な説明】
【図１】  収納袋の斜視説明図である。
【図２】  根菜収穫機の側面図である。
【図３】  根菜収穫機の平面図である。
【図４】  根菜収穫機の側面図である。
【図５】  収納袋の断面説明図である。
【図６】  係止部材の取付説明図である。
【図７】  係止部材の説明図である。
【図８】  係止部材の説明図である。
【符号の説明】
（３３）  収納袋
（３３ａ）  蓋部
（３３ｂ）  本体部
（５７）    投入口
（５８）    係止部材
【図１】
0003748129.tif 000002
【図２】
0003748129.tif 000003
【図３】
0003748129.tif 000004
【図４】
0003748129.tif 000005
【図５】
0003748129.tif 000006
【図６】
0003748129.tif 000007
【図７】
0003748129.tif 000008
【図８】
0003748129.tif 000009